(57)【要約】      （修正有）【課題】酒樽の表側となる側面部分に所望の表書き情報内容を少ない作業的および経済的負担で簡単に表示させることができる酒樽を提供する。【解決手段】酒樽１００は、飲料を収容する本体部が菰を模した包装体１０３で包装された包装収容体１０１を備えている。包装収容体１０１は、縦綱１０７によって縛られている。包装体１０３は、筒状に形成されており、その表面に表面装飾布１０４が縫合されている。表面装飾布１０４は、包装収容体１０１の側面部における互いに隣り合う２つの縦縄１０７ａ，１０７ｂの間隔に対応する長さの布地の表面に所望の表書き情報１０５が形成されている。表書き情報１０５は、包装体１０３の表面の菰形状を模した菰柄情報１０５ａ上に文字情報１０５ｂおよび図柄情報１０５ｃが形成されて構成される。表面装飾布１０４は、縦辺が縦縄１０７ａ，１０７ｂの内側に配置されて縫合されている。【選択図】図２
0003186614.tif 000002
【実用新案登録請求の範囲】
【請求項１】
上面および下面を有した樽状の本体部を包装体で包装した包装収容体と、
前記包装収容体における前記上面側と前記下面側との間を前記包装収容体の側面部を介して掛けられる少なくとも２つ以上の縦縄と、
前記包装収容体の側面部にて互いに隣り合う２つの前記縦縄の間隔に対応する長さの布地の表面に所望の表書き情報が表された表面装飾布とを備え、
前記表面装飾布は、前記互いに隣り合う２つの縦縄間における前記包装体上に配置されることを特徴とする酒樽。
【請求項２】
請求項１に記載した酒樽において、
前記表面装飾布は、前記互いに隣り合う２つの縦縄側および前記包装体側のうちの少なくとも一方にそれぞれ接合されていることを特徴とする酒樽。
【請求項３】
請求項１または請求項２に記載した酒樽において、
前記包装収容体の側面部には、前記少なくとも２つ以上の縦縄を互いに繋ぐ横縄が設けられており、
前記表面装飾布は、前記横縄が貫通可能な２つの切欠き部が前記互いに隣り合う２つの縦縄の間隔より短い間隔を介してそれぞれ形成されていることを特徴とする酒樽。
【請求項４】
請求項１ないし請求項３のうちのいずれか１つに記載した酒樽において、
前記表面装飾布に表される前記表書き情報は、前記包装体の表面を模した図柄が含まれていることを特徴とする酒樽。
【請求項５】
請求項１ないし請求項４のうちのいずれか１つに記載した酒樽において、
前記表面装飾布は、前記包装体に縫合されていることを特徴とする酒樽。
【請求項６】
請求項１ないし請求項５のうちのいずれか１つに記載した酒樽において、
前記表面装飾布は、前記表面装飾布は、前記包装収容体の側面部における上縁部から前記上面側および下縁部から前記下面側のうちの少なくとも一方の範囲内で前記包装体に接合されていることを特徴とする酒樽。
【請求項７】
上面および下面を有した樽状の本体部を包装体で包装した包装収容体と、
前記包装収容体における前記上面側と前記下面側との間を前記包装収容体の側面部を介して掛けられる少なくとも２つ以上の縦縄とを備えた酒樽の表側を装飾するための表面装飾布であって、
前記表面装飾布は、前記包装収容体の側面部にて互いに隣り合う２つの前記縦縄の間隔に対応する長さの布地の表面に所望の表書き情報が表されていることを特徴とする酒樽用表面装飾布。
【考案の詳細な説明】
【技術分野】
【０００１】
本考案は、上面および下面を有した樽状の本体部を菰（こも）などの包装体と縄とを用いて包装した形態の酒樽および酒樽用表面装飾布に関する。
【背景技術】
【０００２】
従来から、慶事などの鏡開きにおいて用いられる酒樽として、蓋が嵌った有底筒状の本体部を菰（こも）などの包装体と縄とで包装した形態の酒樽が知られている。このような酒樽の本体部を包装する包装体は、藁やマコモをむしろ状に編んだ天然素材製の菰（こも）やポリプロピレンなどの樹脂材をむしろ状に成形した樹脂製の菰が用いられている。そして、この包装体は、表面に商標、銘柄、慶事の対象者名または祝言などの文字や各種図柄からなる表書き情報が形成されており、酒樽の表面を装飾している。
【０００３】
従来、菰からなる包装体への表書き情報の形成は、例えば、下記特許文献１，２に示すように、表書き情報が印刷された表示物を包装体表面に貼り付ける方法や、包装体表面自体に表書き情報を熱転写方式により形成する方法によって行われている。これらの場合、包装体の表面の凹凸状の編目部分に精度良く表示物や表書き情報を定着させるために、編目部分を加熱圧縮して平面状に塑性加工したり、表書き情報が形成された多層構造の転写紙を編目部分に加熱加圧したりする加工が行なわれている。
【先行技術文献】
【特許文献】
【０００４】
【特許文献１】実公平０２−１２４９号公報
【特許文献２】特開２００４−１７３４３号公報
【０００５】
しかしながら、上記各特許文献１，２に示された包装体への表書き情報の表示方法においては、包装体表面の塑性加工や多層構造の転写紙の製造および包装体への熱転写工程が煩雑であるという問題がある。この場合、酒樽の側面部において酒樽の表側となる表書き情報の表示部分が側面部全体に占める割合は、全側面部の約１／３〜１／２にも及ぶため、表書き情報の表示部分の前記作業的および経済的負担は極めて大きくなる。このため、結果として酒樽の側面部に表示される表書き情報の内容が無難で汎用性の高い内容となる傾向が強く、個々の慶事内容に応じたオリジナルな表書き情報を表示する酒樽が実質的に製作され難いという問題があった。
【０００６】
本考案は上記問題に対処するためなされたもので、その目的は、酒樽の表側となる側面部分に所望の表書き情報内容を少ない作業的および経済的負担で簡単に表示させることができる酒樽および酒樽用表面装飾布を提供することにある。
【考案の概要】
【０００７】
上記目的を達成するため、請求項１に係る本考案の特徴は、上面および下面を有した樽状の本体部を包装体で包装した包装収容体と、包装収容体における上面側と下面側との間を包装収容体の側面部を介して掛けられる少なくとも２つ以上の縦縄と、包装収容体の側面部にて互いに隣り合う２つの前記縦縄の間隔に対応する長さの布地の表面に所望の表書き情報が表された表面装飾布とを備え、表面装飾布は、前記互いに隣り合う２つの縦縄間における包装体上に配置されることにある。
【０００８】
このように構成した請求項１に係る本考案の特徴によれば、酒樽は、包装収容体の側面部における互いに隣り合う２つの縦縄の間隔に対応する長さの布地の表面に所望の表書き情報が表された表面装飾布を備えるとともに、同表面装飾布が前記互いに隣り合う２つの縦縄間における包装体上に配置されている。これにより、従来技術における包装体の塑性加工や多層構造の転写紙の製造および包装体への熱転写工程が不要であり、簡単に所望する表書き情報を酒樽の側面部に表示させることができる。そして、この場合、表面装飾布は、互いに隣り合う２つの縦縄の間隔に対応する長さに形成されているため、表面装飾布の両端部が包装体と前記２つの縦縄との間に位置する。すなわち、表面装飾布の両端部が２つの縦縄の下に隠れる。これにより、包装体上に配置される表面装飾布の両端部を目立たなくすることができ、酒樽の美観を損なうことなく表面装飾布を配置できる。また、包装体における表面装飾布の配置部分は、同表面装飾布によって覆われるため、同部分の成形を必要最小限の簡易なものとすることができる。これらの結果、酒樽の表面となる側面部分に所望する表書き情報を少ない作業的および経済的負担で簡単に表示させることができる。
【０００９】
また、請求項２に係る本考案の他の特徴は、前記酒樽において、表面装飾布は、前記互いに隣り合う２つの縦縄側および包装体側のうちの少なくとも一方にそれぞれ接合されていることにある。
【００１０】
このように構成した請求項２に係る本考案の他の特徴によれば、表面装飾布は、前記互いに隣り合う２つの縦縄側および包装体側のうちの少なくとも一方にそれぞれ取り付けられる。これにより、表面装飾布と包装体との取り付け部分が縦縄に隠れて外部から視認し難くなるため酒樽の美観を損ねることがない。なお、この場合、表面装飾布を縦縄に取り付けることにより、縦縄の位置ずれにより表面装飾布の端部が露出することが防止できるとともに、包装収容体から縦縄を外した際、外した縦縄とともに表面装飾布を包装収容体から取り外すことができ、鏡開きなどにより表面装飾布が汚損されることを防止できる。また、表面装飾布を包装体に取り付けることにより、包装収容体から縦縄を外しても表面装飾布が包装体に残るため、鏡開きにおいても酒樽の装飾を維持させることもできる。また、さらに、表面装飾布を包装体および縦縄にそれぞれ取り付けることにより、包装体と縦縄とが表面装飾布を介して一体となるため、包装体、表面装飾体および縦縄の相互の位置ずれが防止でき美観を維持できるとともに、縦縄を解いた場合であっても縦縄が包装収容体から外れることがなく縦縄を散乱させることなく酒樽の美観を維持することができる。
【００１１】
また、請求項３に係る本考案の他の特徴は、前記酒樽において、包装収容体の側面部には、前記少なくとも２つ以上の縦縄を互いに繋ぐ横縄が設けられており、表面装飾布は、横縄が貫通可能な２つの切欠き部が前記互いに隣り合う２つの縦縄の間隔より短い間隔を介してそれぞれ形成されていることにある。
【００１２】
このように構成した請求項３に係る本考案の他の特徴によれば、酒樽は、包装収容体の側面に前記少なくとも２つ以上の縦縄を互いに繋ぐ横縄が設けられており、表面装飾布は横縄が貫通可能な２つの切欠き部が前記互いに隣り合う２つの縦縄の間隔より短い間隔を介してそれぞれ形成されている。これにより、表面装飾体に設けた２つの切欠き部に包装収容体の側面に周方向に沿って設けられた横縄を通すことにより、表面装飾体を横縄の外側に配置することができる。すなわち、横縄の存在を考慮することなく自由な大きさおよび配置で表面装飾体の表面に表書き情報を形成することができる。この結果、従来にない斬新なデザインの酒樽を製作することができる。
【００１３】
また、請求項４に係る本考案の他の特徴は、前記酒樽において、表面装飾布に表される表書き情報は、包装体の表面を模した図柄が含まれていることにある。
【００１４】
このように構成した請求項４に係る本考案の他の特徴によれば、酒樽は、表面装飾布の表面に包装体の表面を模した図柄が形成されている。これにより、表面装飾布と包装体との一体感がより向上して酒樽の美観を損ねることがない。
【００１５】
また、請求項５に係る本考案の他の特徴は、前記酒樽において、表面装飾布は、包装体に縫合されていることにある。
【００１６】
このように構成した請求項５に係る本考案の他の特徴によれば、酒樽は、表面装飾布が包装体に縫合されている。これにより、酒樽の開封後に表面装飾布を損傷することなく包装体から容易に分離することができる。したがって、包装体から分離した表面装飾布を慶事の記念品として残すことができるとともに、衣服の一部や壁掛けに加工して付加価値の高い記念品にすることもできる。なお、表面装飾布を縫合する糸を表面装飾布の色と同色または同系の色を用いることにより、表面装飾布の包装体への縫合線を目立たなくすることができる。
【００１７】
また、請求項６に係る本考案の他の特徴は、前記酒樽において、表面装飾布は、表面装飾布は、包装収容体の側面部における上縁部から上面側および下縁部から下面側のうちの少なくとも一方の範囲内で包装体に接合されていることにある。
【００１８】
このように構成した請求項６に係る本考案の他の特徴によれば、酒樽は、表面装飾布の縁部が包装収容体における側面部の縁部から上面および／または下面を覆う包装体に取り付けられている。これにより、酒樽を正面視した場合、表面装飾布と包装体との上側および／または下側の境界部分が目立たなくなるため酒樽の美観を損なうことを防止することができる。
【００１９】
また、本考案は、酒樽の考案として実施できるだけでなく、酒樽用表面装飾布の考案としても実施できるものである。
【図面の簡単な説明】
【００２０】
【図１】本考案の一実施形態に係る酒樽の全体構成を概略的に示した平面図である。
【図２】図１に示す酒樽の全体構成を概略的に示した正面図である。
【図３】図１に示す酒樽を構成する本体部の全体構成を概略的に示した斜視図である。
【図４】図１に示す酒樽を構成する表面装飾布の全体構成を概略的に示した正面図である。
【図５】図４に示す表面装飾布を用いたタペストリー全体構成を概略的に示した正面図である。
【図６】本考案の変形例に係る酒樽を構成する表面装飾布の全体構成を概略的に示した正面図である。
【図７】図６に示す表面装飾布で構成される酒樽の全体構成を概略的に示した正面図である。
【考案を実施するための形態】
【００２１】
以下、本考案に係る酒樽の一実施形態について図面を参照しながら説明する。図１および図２は、本考案に係る酒樽１００の全体構成を概略的に示しており、図１は酒樽１００の平面図であり、図２は酒樽１００の正面図である。なお、本明細書において参照する各図は、本考案の理解を容易にするために一部の構成要素を誇張して表わすなど模式的に表している。このため、各構成要素間の寸法や比率などは異なっていることがある。この酒樽１００は、酒などの各種飲料を収容する収容体となる本体部が菰（こも）や縄で包装された構成の容器であり、慶事などの鏡開きにおいて広く用いられるものである。
【００２２】
（酒樽１００の構成）
酒樽１００は、包装収容体１０１を備えている。包装体収容体１０１は、樽状に形成された本体部１０２と、同本体部１０２を包装する包装体１０３とで構成されている。本体部１０２は、図３に示すように、酒などの飲料を収容するための樹脂製の容器であり、上面が開放された有底円筒状に形成されている。この本体部１０２の下部には、本体部１０２の内部を底上げするための台座１０２ａが形成されている。台座１０２ａは、本体部１０２の外径より小さい外径の略円柱状に形成されている。
【００２３】
また、本体部１０２における開放された上面には、蓋体１０２ｂが嵌め込まれている。蓋体１０２ｂは、本体部１０２の内部を塞ぐための円板状の樹脂製部材である。この蓋体１０２ｂは、酒樽１００の鏡開きの際に木槌で叩かれることにより半分に割れるように構成されている。なお、本実施形態における酒樽１００（本体部１０２）は、1斗樽（１８リットル）を想定しているが、1斗樽より小さい大きさまたは大きい大きさで構成することもできる。
【００２４】
包装体１０３は、本体部１０２を包装するための樹脂製の筒状部材であり、藁（わら）やマコモをむしろ状に編んだ菰（こも）を模して成形されている。具体的には、柔軟な樹脂製（例えば、ポリプロピレン樹脂）のシート材の表面を凸凹のむしろ状に成形するとともに同シート材を筒状に成形して構成されている。この包装体１０３は、本体部１０２を内部に収容した状態で上側開口部および下側開口部が樹脂製の締め縄１０３ａ（下側開口部は図示せず）によってそれぞれ絞られている。
【００２５】
酒樽１００の正面を構成する包装体１０３の表面には、表面装飾布１０４が設けられている。表面装飾布１０４は、図４に示すように、酒樽１００の側面部のうち正面となる部分を装飾するための方形状の布部材である。本実施形態においては、表面装飾布１０４は、ちりめん素材で構成されている。なお、表面装飾布１０４は、ちりめん素材以外の絹織物のほか、各種植物繊維（例えば、麻、葛、木綿）や各種化学繊維からなる織物および不織布などで構成されていてもよい。この表面装飾布１０４は、縦辺１０４ａ，１０４ｂ間である横の長さが本体部１０２の側面部に配置される後述する２つの縦縄１０７ａ，１０７ｂ間の同側面部上での間隔（弧の長さ）に等しい長さに形成されるとともに、縦辺１０４ａ，１０４ｂに直交する縦の長さが本体部１０２の上面から台座１０２ａの略中間部までの長さに形成されている。そして、この表面装飾布１０４の表面には、表書き情報１０５が形成されている。
【００２６】
表書き情報１０５は、主として、酒樽１００の内容物に関する事項の表示および酒樽１００の正面部を装飾するためのものであり、商標、銘柄、慶事の対象者名または祝言などの文字や各種図柄から構成されている。本実施形態においては、表書き情報１０５は、菰柄情報１０５ａ、「祝」の文字からなる文字情報１０５ｂおよび花の図柄からなる図柄情報１０５ｃによって構成されている。これらのうち、菰柄情報１０５ａは、前記包装体１０３の表面に形成された菰を模した図柄であり、文字情報１０５ｂおよび図柄情報１０５ｃを除く表面装飾布１０４の表面の全面に形成されている。この表面装飾布１０４は、４つの各縁（辺）がそれぞれ縫合糸１０６ａ，１０６ｂ（図示左右の各縦辺１０４ａ，１０４ｂを縫合する縫合糸は図示せず）によってそれぞれ包装体１０３に縫合されている。この場合、縫合糸１０６ａ，１０６ｂは、表面装飾布１０４に形成された菰柄情報１０５ａと同色で構成されている。
【００２７】
表面装飾布１０４が縫合された包装体１０３で包装された本体部１０２、すなわち、包装収容体１０１は、縦縄１０７によって縛られている。縦縄１０７は、本体部１０２の表面に包装体１０３を固定するとともに、同包装体１０３によって包装された本体部１０２を持ち運びする際に用いる樹脂製の紐状部材である。本実施形態においては、縦縄１０７は、ポリプロピレン樹脂材を縄状に成形して構成されている。
【００２８】
この縦縄１０７は、１本の縦縄１０７を２つに折った２本の束を包装収容体１０１の上面および底面にてクロスさせつつ同包装収容体１０１の側面部を介して縦方向に４回掛け回すことにより包装収容体１０１の周囲を縛っている。この場合、包装収容体１０１の側面部にて縦方向に沿って配置される４つの縦縄１０７ａ〜１０７ｄのうち、酒樽１００の正面となる側面部に位置する２つの互いに隣り合う縦縄１０７ａ，１０７ｂは、前記正面となる側面部が正面視にて広く現れるように同側面部における正面視両端部側に寄せて配置されている。そして、包装収容体１０１の側面部上におけるこれら２つの縦縄１０７ａ，１０７ｂの間隔は、前記したように、表面装飾布１０４の縦辺１０４ａ，１０４ｂ間の長さの設定基準となる。
【００２９】
包装収容体１０１の側面部の上部および下部には、同側面部の周方向に沿って横縄１０８ａ，１０８ｂが巻き付けられている。これらの横縄１０８ａ，１０８ｂは、包装収容体１０１を縛る縦縄１０７ａ〜１０７ｄの位置ずれを防止するための樹脂製の紐状部材であり、各縦縄１０７ａ〜１０７ｄに巻き付けられながら包装収容体１０１の側面部上に巻き付けられている。本実施形態においては、横縄１０８ａ，１０８ｂは、縦縄１０７と同様のポリプロピレン樹脂材を縦縄１０７より細い縄状に成形して構成されており、包装収容体１０１および縦縄１０７ａ〜１０７ｄの各外周部をそれぞれ３周ずつ巻き付けられている。
【００３０】
（酒樽１００の製造）
次に、このように構成された酒樽１００の製造過程について説明する。まず、作業者は、表面装飾布１０４の生地となるちりめん素材（図示せず）を用意して、表書き情報１０５を表面装飾布１０４の表面に印刷する。具体的には、作業者は、ちりめん素材を図示しない印刷機にセットして、表書き情報１０５のうち菰柄情報１０５ａを印刷する。これにより、ちりめん素材の表面の全面に包装体１０３の表面を模した菰柄が形成される。次に、作業者は、前記印刷機を用いて、ちりめん素材表面に形成した菰柄情報１０５ａの上から表書き情報１０５のうちの文字情報１０５ｂおよび図柄情報１０５ｃをそれぞれ印刷する。これにより、ちりめん素材の表面には、菰柄情報１０５ａ上に文字情報１０５ｂおよび図柄情報１０５ｃが印刷された表書き情報１０５が形成される。
【００３１】
なお、ちりめん素材（表面装飾布１０４の表面）への表書き情報１０５の印刷は、菰柄情報１０５ａ、文字情報１０５ｂおよび図柄情報１０５ｃを一度の印刷処理によってまとめて印刷するようにしてもよい。また、ちりめん素材（表面装飾布１０４の表面）に形成する文字情報１０５ｂおよび図柄情報１０５ｃは、酒樽１００の使用者が所望する文字（例えば、名前や名称（個人名、社名、地域名など）、祝い文字、願い事、商標や生年月日など）や図柄（例えば、各種絵柄、マーク、写真や家紋など）を単体でまたはこれらを適宜組み合わせたもので構成されていればよい。なお、作業者は、表書き情報１０５の印刷作業に先立って、表書き情報１０５を構成する菰柄情報１０５ａ、文字情報１０５ｂおよび図柄情報１０５ｃの内容や配置である表書き情報１０５のデザインを予め用意しておくことが必要である。
【００３２】
次に、作業者は、表書き情報１０５が形成されたちりめん素材を裁断機を用いて酒樽１００の仕様に応じて裁断する。本実施形態においては、ちりめん素材は、縦の長さが包装収容体１０１の上面から台座１０２ａの略中間部までの長さで、かつ横の長さが包装収容体１０１の側面部に配置される２つの縦縄１０７ａ，１０７ｂ間の同側面部上での長さの長方形状に裁断される。これにより、表書き情報１０５が形成された方形状の表面装飾布１０４が形成される。次に、作業者は、表面装飾布１０４を包装体１０３に縫合する。この場合、作業者は、予め別工程にて製作された包装体１０３と縫合糸１０６ａ，１０６ｂとをそれぞれ用意する。
【００３３】
そして、作業者は、包装体１０３上における所定位置に表面装飾布１０４を配置してこれらを互いに縫合する。具体的には、作業者は、酒樽１００の正面となる包装体１０３の中心部分に表面装飾布１０４の中心部を配置するとともに、同包装体１０３における本体部１０２の側面部の図示上側縁部が位置する部分に表面装飾布１０４の図示上側縁部を位置決めした状態で表面装飾布１０４の４つの各縁部をそれぞれ縫合する。この場合、作業者は、表面装飾布１０４の表面に印刷した菰柄情報１０５ａと同色の縫合糸１０６ａ，１０６ｂ（図示左右の各縦辺１０４ａ，１０４ｂを縫合する縫合糸は図示せず）を用いて表面装飾布１０４を包装体１０３の表面に縫合する。これにより、表面装飾布１０４上で縫合糸１０６ａ，１０６ｂを目立たなくすることができる。なお、縫合糸１０６ａ，１０６ｂは、表面装飾布１０４に形成された菰柄情報１０５ａと同系色で構成されていれば表面装飾布１０４上で目立たなくすることができる。
【００３４】
次に、作業者は、包装体１０３によって本体部１０２を包装する。この場合、作業者は、予め別工程にて製作された本体部１０２を用意するとともに、この用意した本体部１０２内に酒などの飲料を充填しておく。そして、作業者は、筒状に形成された包装体１０３内に本体部１０２を挿入するとともに、包装体１０３の上側開口部および下側開口部にそれぞれ設けられた締め縄１０３ａ（下側開口部は図示せず）をそれぞれ締める。これにより、包装体１０３の上側開口部および下側開口部が絞られた状態で本体部１０２が包装体１０３によって包装されて包装収容体１０１が形成される。また、この場合、包装体１０３に縫合した表面装飾布１０４の上側縁部の縫合部分が本体部１０２の側面部の上側縁部に位置するため、同縫合部分を含む表面装飾布１０４の上側縁部を目立たなくすることができる。また、包装体１０３に縫合した表面装飾布１０４の下側縁部の縫合部分が本体部１０２より小径の台座１０２ａの側面部に位置するため、同縫合部分を含む表面装飾布１０４の下側縁部を目立たなくすることができる。
【００３５】
次に、作業者は、本体部１０２が包装体１０３で包装された包装収容体１０１を縦縄１０７によって縛る。具体的には、作業者は、予め別工程にて製作された１本の縦縄１０７を２つに折った２本の束を包装収容体１０１の上面および底面にてクロスさせつつ同包装収容体１０１の側面部を介して縦方向に４回掛け回すことにより包装収容体１０１を縛る。この場合、作業者は、酒樽１００の正面となる側面部に位置する２つの互いに隣り合う縦縄１０７ａ，１０７ｂを同側面部における正面視両端部側であって表面装飾布１０４の縦辺１０４ａ，１０４ｂ上に配置させる。これにより、酒樽１００の正面側となる側面部が広く現れて表書き情報１０５の露出部分が広く確保されるとともに、表面装飾布１０４の両端部である縦辺１０４ａ，１０４ｂを縦縄１０７ａ，１０７ｂによって隠すことができる。
【００３６】
次に、作業者は、包装収容体１０１を横縄１０８ａ，１０８ｂによって縛る。具体的には、作業者は、予め別工程にて製作された横縄１０８ａ，１０８ｂを各縦縄１０７ａ〜１０７ｄにそれぞれ巻き付けられながら包装収容体１０１の側面部上にそれぞれ巻き付ける。これにより、包装収容体１０１の側面部上において縦縄１０７ａ〜１０７ｄの位置ずれが防止された状態で酒樽１００が完成する。なお、本実施形態においては、横縄１０８ａ，１０８ｂを包装収容体１０１の側面部における上部および下部にそれぞれ３周ずつ巻き付けるようにしたが、縦縄１０７の位置ずれの心配がない場合や位置ずれが無視できる場合などには、横縄１０８ａ，１０８ｂを省略することもできる。
【００３７】
（酒樽１００の使用）
次に、上記のように構成した酒樽１００の使用について説明する。この酒樽１００は、結婚式や各種記念式典などの各種慶事会場において、人目に付き易い壇上などに表書き情報１０５を表側として配置される。この場合、表面装飾布１０４は、縦辺１０４ａ，１０４ｂが縦縄１０７ａ，１０７ｂによって覆われて隠されていること、上側縁部が本体部１０２の側面部の上側縁部に位置すること、および包装体１０３の表面の菰を模した菰柄情報１０５ａが形成されていることにより包装体１０３と違和感無く一体物として見える。また、表書き情報１０５は、布地で構成された平面状の表面装飾布１０４上に形成されているため、凸凹のむしろ状に形成された包装体１０３や紙製の表示物に形成された表書き情報１０５に比べてシワや割れが生じ難く美観に優れているとともに見やすい。
【００３８】
そして、酒樽１００を開封する場合においては、酒樽１００の開封者は、包装収容体１０１の上面における縦縄１０７の結び目および包装体１０３の締め縄１０３ａをそれぞれ解いて包装体１０３の上側開口部を開く。これにより、開封者は、包装体１０３内に収容された本体部１０２の上面を露出させることができ、本体部１０２の蓋部１０２ｂを開けることができる。この場合、表面装飾布１０４は、包装体１０３に縫合されているため、縦縄１０７を解いた場合であっても包装収容体１０１上から外れることがなく酒樽１００の装飾を維持することができる。
【００３９】
また、酒樽１００の使用後においては、表面装飾布１０４を包装体１０３から取り外すことができる。すなわち、表面装飾布１０４を包装体１０３に縫合する縫合糸１０６ａ，１０６ｂ（図示左右の各縦辺１０４ａ，１０４ｂを縫合する縫合糸は図示せず）を抜糸することにより表面装飾布１０４を包装体１０３から取り外すことができる。これにより、表面装飾布１０４を慶事の記念品としてそのままの状態でまたは加工して残すことができる。例えば、図５に示すように、表面装飾布１０４の上下の各縁部に支持軸体１１１ａ，１１１ｂを設けるとともに、上側の支持軸体１１１ａに紐体１１２を設けることにより、表面装飾布１０４を壁掛け型の記念品としてタペストリー１１０にすることができる。また、表面装飾布１０４を衣服の記事の一部または装飾部材として用いるもできる。これらの場合、表面装飾布１０４が布地で構成されているため、表面装飾布１０４を汚損した場合であっても洗濯および補修により比較的容易に汚損を解消することができる。
【００４０】
上記製造作動および使用説明からも理解できるように、上記実施形態によれば、酒樽１００は、包装収容体１０１の側面部における互いに隣り合う２つの縦縄１０７ａ，１０７ｂの間隔に対応する長さの布地の表面に所望の表書き情報１０５が表された表面装飾布１０４を備えるとともに、同表面装飾布１０４が前記互いに隣り合う２つの縦縄１０７ａ，１０７ｂ間における包装体１０３上に配置されている。これにより、従来技術における包装体の塑性加工や多層構造の転写紙の製造および包装体への熱転写工程が不要であり、簡単に所望する表書き情報１０５を酒樽の側面部に表示させることができる。そして、この場合、表面装飾布１０４は、互いに隣り合う２つの縦縄１０７ａ，１０７ｂの間隔に対応する長さに形成されているため、表面装飾布１０４の両端部である縦辺１０４ａ，１０４ｂが包装体１０３と縦縄１０７ａ，１０７ｂとの間に位置する。すなわち、表面装飾布１０４の縦辺１０４ａ，１０４ｂが２つの縦縄１０７ａ，１０７ｂの下に隠れる。これにより、包装体１０３上に配置される表面装飾布１０４の縦辺１０４ａ，１０４ｂを目立たなくすることができ、酒樽１００の美観を損なうことなく表面装飾布１０４を配置できる。これらの結果、酒樽１００の表面となる側面部分に所望する表書き情報１０５を少ない作業的および経済的負担で簡単に表示させることができる。
【００４１】
さらに、本考案の実施にあたっては、上記実施形態に限定されるものではなく、本考案の目的を逸脱しない限りにおいて種々の変更が可能である。なお、下記に示す各変形例においては、上記各実施形態と同様の構成部分には対応する符号を付して、その説明は省略する。
【００４２】
例えば、上記実施形態においては、包装収容体１０１の側面部に１本の縦縄１０７を縦方向に４回掛け回すことにより４つの縦縄１０７ａ〜１０７ｄで縛るように構成した。しかし、包装収容体１０１の側面部に配置される縦縄１０７の本数は、表面装飾布１０４の縦辺１０４ａ，１０４ｂの数以上、すなわち、少なくとも２本以上であればよい。また、縦縄１０７の構成する素材も樹脂に限らず、藁や紙などの植物繊維を用いることもできる。
【００４３】
また、上記実施形態においては、表面装飾布１０４の横方向の長さである縦辺１０４ａ，１０４ｂ間の長さは、包装収容体１０１の側面部において互いに隣り合う縦縄１０７ａ，１０７ｂの側面部上での長さに等しい長さに形成した。しかし、表面装飾布１０４の横方向の長さは、包装収容体１０１の側面部において互いに隣り合う縦縄１０７ａ，１０７ｂの側面部上での長さに対応する長さであればよく、必ずしも縦縄１０７ａ，１０７ｂの側面部上での長さに厳密に合わせる必要はない。すなわち、表面装飾布１０４の横方向の長さは、表面装飾布１０４の縦辺１０４ａ，１０４ｂが縦綱１０７ａ，１０７ｂによって実質的に隠すことができる長さであればよい。したがって、表面装飾布１０４の横方向の長さは、縦縄１０７ａ，１０７ｂの側面部上での長さより多少長くても短くてもよい。
【００４４】
一方、表面装飾布１０４における縦方向の長さは、包装収容体１０１の側面部の高さより長くても短くてもよい。すなわち、表面装飾布１０４における縦方向の長さは、表書き情報１０５のデザインに応じて適宜設定されればよい。但し、これらの場合、表面装飾布１０４は、包装収容体１０１の側面部における上縁部から上面側および下縁部から下面側のうちの少なくとも一方の範囲内で包装体１０３に接合されているとよい。これによれば、酒樽１００は、表面装飾布１０４の縁部が包装収容体１０１における側面部の縁部から上面および／または下面を覆う包装体１０３に取り付けられている。これにより、酒樽１００を正面視した場合、表面装飾布１０４と包装体１０３との上側および／または下側の境界部分が目立たなくなるため酒樽１００の美観を損なうことを防止することができる。また、表面装飾布１０４の縦方向の長さを横縄１０８ａ，１０８ｂ間の長さに等しい長さに設定することにより、表面装飾布１０４の上側縁部および下側縁部を横縄１０８ａ，１０８ｂで隠すことができ、表面装飾布１０４の上側縁部および下側縁部を目立たなくすることができる。
【００４５】
また、上記実施形態においては、表面装飾布１０４は縫合糸１０６ａ，１０６ｂ（図示左右の各縦辺１０４ａ，１０４ｂを縫合する縫合糸は図示せず）を用いて包装体１０３に縫合した。しかし、表面装飾布１０４は、包装体１０３上に配置されていればよく、必ずしも縫合により接合する必要はない。例えば、糊、接着剤、ピンなどを用いて表面装飾布１０４を包装体１０３に接合されてもよい。また、これらの場合、表面装飾布１０４は、包装体１０３および縦縄１０７ａ，１０７ｂのうちの少なくとも一方にそれぞれ接合されていればよい。また、縦縄１０７ａ，１０７ｂおよび横縄１０８ａ，１０８ｂと包装体１０３の表面とで表面装飾布１０４を挟んで保持するようにすることもできる。
【００４６】
また、上記実施形態においては、表面装飾布１０４に形成される表書き情報１０５は菰柄情報１０５ａを含んで構成されている。しかし、表書き情報１０５は、前記したように、酒樽１００の使用者の好みに応じて適宜デザインされるものである。したがって、表書き情報１０５は、必ずしも菰柄情報１０５ａを含んでいる必要はない。例えば、菰柄情報１０５ａとは異なる図柄を表面装飾布１０４の下地柄として表書き情報１０５に含めることができる。
【００４７】
また、上記実施形態においては、包装体１０３における表面装飾布１０４を配置する部分にもむしろ状に編んだ菰を模した形状を成形した。しかし、包装体１０３における表面装飾布１０４を配置する部分は、表面装飾布１０４が配置されて隠れる部分であるため同部分の成形を必要最小限の簡易なものとすることができる。これにより、包装体１０３の製造に関する作業的および経済的負担を軽減することができる。
【００４８】
また、上記実施形態においては、表面装飾布１０４は、包装体１０３と横縄１０８ａ，１０８ｂとの間に配置した。すなわち、表面装飾布１０４は、表面装飾布１０３上に横縄１０８ａ，１０８ｂが横切った状態で配置されている。このため、表面装飾布１０３に形成する表書き情報１０５のデザインが制限されることがある。しかし、表面装飾布１０４は、包装体１０３上に設けられる横縄１０８ａ，１０８ｂ上に配置するように構成することもできる。例えば、図６に示すように、表面装飾布１０４に、横縄１０８ａが貫通可能な２つの切欠き部１２１ａ，１２１ｂを縦縄１０７ａ，１０７ｂの間隔より短い間隔でそれぞれ形成しておく。
【００４９】
これによれば、図７に示すように、横縄１０８ａを包装収容体１０１に巻き付ける際、横綱１０８ａを切欠き部１２１ａ，１２１ｂに通すことにより横綱１０８ａを表面装飾布１０４の内側に配置することができる。これにより、横縄１０８ａの存在を考慮することなく自由な大きさおよび配置で表面装飾体１０４の表面に表書き情報１０５を形成することができる。すなわち、図６および図７に示すように、横縄１０８ａの位置が重なる部分に図柄情報１０５ｃを配置することができるとともに、表面装飾布１０４の全体に大きな文字情報１０５ｂを配置することができる。この結果、従来にない斬新なデザインの酒樽１００を製作することができる。なお、図６および図７に示す変形例においては、横縄１０８ａのみを表面装飾布１０４の内側に配置するように構成したが、これに代えてまたは加えて横縄１０８ｂに対応する切欠き部１２１ａ，１２１ｂを設けることにより横縄１０８ｂを表面装飾布１０４の内側に配置するように構成することもできる。
【００５０】
また、上記実施形態においては、酒樽１００の本体部１０２内に酒を充填した。しかし、酒樽１００の本体部１０２に充填される飲料の種類は、本考案の本質とするところではない。すなわち、酒樽１００の本体部１０２内に充填される飲料は、酒以外の飲料、例えば、お茶やジュースなどの飲料であってもよいことは当然である。また、本体部１０２は、必ずしも飲料を充填可能に構成されている必要はない。すなわち、一般に、酒樽においては、本体部内に実際に飲料が充填される酒樽と、本体部に飲料が充填不能な専らディスプレイ用（展示用）の酒樽とがある。これらのうち、ディスプレイ用の酒樽においては、本体部は、例えば、発泡スチロール製の柱状体で構成されている。そして、本考案は、このようなディスプレイ用の酒樽に対しても適用することができる。
【符号の説明】
【００５１】
１００…酒樽、１０１…包装収容体、１０２…本体部、１０３…包装体、１０４…表面装飾布、１０４ａ，１０４ｂ…縦辺、１０５…表書き情報、１０５ａ…菰柄情報、１０５ｂ…文字情報、１０５ｃ…図柄情報、１０６ａ，１０６ｂ…縫合糸、１０７，１０７ａ〜１０７ｄ…縦縄、１０８ａ，１０８ｂ…横縄、
１１０…タペストリー、１１１ａ，１１１ｂ…支持軸体、１１２…紐体、
１２１ａ，１２１ｂ…切欠き部。
【図１】
0003186614.tif 000003
【図２】
0003186614.tif 000004
【図３】
0003186614.tif 000005
【図４】
0003186614.tif 000006
【図５】
0003186614.tif 000007
【図６】
0003186614.tif 000008
【図７】
0003186614.tif 000009